(57)【要約】【課題】溶出銅イオンにより局部防腐防黴された木質構造材もしくは既築木製構造部とすべく、その木口または木口近傍部周囲に高度な技能を必要とすることのない局所的対処法による処置を可能にすること。【解決手段】純銅材もしくは銅合金材を、木質構造材もしくは既築木製構造部の木口または木口近傍部周囲に密着するように、かつ雨水などにより湿潤状態になりやすい箇所に配置する。その純銅もしくは銅合金は盤状パッド１に成形され、釘材１３により固定されるなどする。【選択図】図３
2017214814.tif 000002
【特許請求の範囲】
【請求項１】
純銅もしくは真鍮を含む銅合金が、木質構造材もしくは既築木製構造部の木口または木口近傍部周囲に密着するように、かつ雨水などにより湿潤状態になりやすい箇所に配置されていることを特徴とする溶出銅イオンにより局部防腐防黴処理された木質構造材または既築木製構造部。
【請求項２】
前記純銅もしくは真鍮を含む銅合金は盤状パッドに成形され、釘材により固定されていることを特徴とする請求項１に記載された溶出銅イオンにより局部防腐防黴処理された木質構造材または既築木製構造部。
【発明の詳細な説明】
【技術分野】
【０００１】
本発明は溶出銅イオンにより局部防腐防黴処理された木質構造材または既築木製構造部に係り、詳しくは、木質構造材もしくは既築木製構造部の木口への進入雨水等により生じた湿潤部位の腐朽菌等の不活化・増殖抑制化を銅イオンの浸透・拡散によって促し、さらに湿潤化が繰り返されるたびに再溶出することにより上記作用の永続的発現を可能にした木質構造材等に関するものである。
【背景技術】
【０００２】
木製の構造材に従来から施される防腐対策は、（１）塗膜を形成し木材を表皮から保護する方法、（２）防腐、防黴、防虫等の効能を有する浸透性薬剤を塗布または散布する方法、（３）水酸化銅などを主成分とする防腐効果のある液剤を圧力注入する方法などの３種類が主たるところである。
【０００３】
（１）の塗膜を形成することは、稲荷系神社の木造鳥居に朱を塗る例があるごとく、俗域と聖域の境界を認識させることのほかに防蝕する企図であることはよく知られている。しかし、歳月の経過とともに褪色や塗膜剥離・崩壊が進行することはよく目にするところである。経年変化により塗料自体の劣化や塗膜の風化といったことは避けられず、定期的な塗り替えが必要となる。神社仏閣などの建物のみならず、現用建造物においてもその消失現象は避けられず、耐用は長くても１０年といった程度であり、また塗り替え時の劣化塗膜の除去作業（ケレン作業）には多大の手間暇を要するなど問題が多い。
【０００４】
薬液を塗布する（２）の方法は液剤を内部まで加圧注入する（３）の方法とは異なり、木材表面に付着させるものである。塗料ではないので塗膜除去作業は不要であるが、薬効散逸が屋外では甚だしく、効能を保とうとすると一定年毎の塗り替えが必要となる。そのような薬液の一例として特開２００８−１１４３９４（特許文献１）に記載された水溶性薬剤があり、それが特開２０００−２２５６０７（特許文献２）に記載されたごとく噴霧や塗布などのかたちで施工される。
【０００５】
浸透液剤を圧入する（３）の方法では、例えば６０年といったごとく耐久性や効能の持続性の面で一応の成果は得られる。その反面、圧力注入であるゆえ大掛かりな設備が必要となる。その注入液剤の一例が特開２０１０−１７３９６９（特許文献３）に開示されている。加圧注入する方法では、前処理段階での人工乾燥や、処理後の再度の人工乾燥が不可欠であり、そのための移送や運搬に望外の時間や労力が費やされ、さらには設備の充実が余儀なくされ、完備・完工に多額の資金を投ぜざるを得ない。また対象部材が長大なものである場合には、上記いずれの処理においてもハンドリング性が著しく劣る。木質構造材の場合はまだしも既築木製構造部にはほとんどの場合、その処理を施しようがない。
【０００６】
ところで、木造建物においては柱などで、その脚部に銅板を巻きつけておくといったことが稀にではあるが、古い建物で行われている。これは柱下部を地面もしくは礎石との境界から上方の部位を少しでも広く覆い、雨水や飛散土泥・粉塵等からの保護を図るためである。なお、装飾をも兼ねさせようとの意図でもあると想像される。そのために銅が使用されているのはそれ自体が鉄などよりも腐蝕しにくいこと、変形などの細工が他の金属よりは容易であって、意匠性・装飾性を図りやすいことや、比較的安価であるといったことによる。
【０００７】
ちなみに、特開平８−３５２６１号公報（特許文献４）には、木質建材同士または木質建材と非木質建材を接合するために用いられる締結金具の表面を銅または銅を含む被膜により覆ってなる建物の木構造用金具が開示されている。これによれば、金具と接触している部分の木質建材の木腐りが防止できるという。ここで用いられる母材金具の材料は、鋼、真鍮、アルミニウム、などの金属材料であり、木構造用金具としては、その形状により、例えば、ハリケーン・ストラップ、根太受け金具、梁受け金具、柱−梁接合金具、羽子板ボルトなどが挙げられる。それらに、メッキを施すなど締結金具の表面を銅または銅を含むメッキ膜によって覆うという。
【０００８】
このような施工が白蟻の忌避手段であるかどうかは定かでないが、銅が忌避手段として機能させる例としては、園芸土中に銅板や銅片を埋め、土中生息物の根回りへの寄りつきを抑えるといったことはすでに行われている。虫類などは湿った土中の銅から徐放される金属イオンに嫌忌する習性のあることを利用したものである。例えば特開２００１−２１１８１０（特許文献５）には、銅または銅を含む物質を白蟻駆除材とすることが開示されている。床下の地面や基礎構造の下層部に銅片や銅粉のかたちで埋設もしくは敷設し、有害生物を排除しようとする。園芸土に混入させる場合はともかく、湿気のこもりやすい床下とはいえ雨などの直接的な侵入が少なくまた空気が停滞する空間において、例えば束（つか）などが淡い金属イオン漂う雰囲気の中に位置しているとしても、虫や黴などから守れるとは些か肯定しがたい。防護すべき対象物にまで浮遊イオンが浸透するとしても、極めて僅かであるからである。
【０００９】
ちなみに、礎石に立てられた柱の下部が白化していることがある。白化の原因が非特許文献１で報告されているように地層成分であるシリカやアルミナといった無機物の析出や付着である場合は別として、木材中のリグニンを分解して白腐れを起こす白色腐朽菌や、木材のセルロースを分解して褐色腐れを起こす褐色腐朽菌の常在が原因する場合は、木材の含水管理が重要であるとされている。一方、特開２００２−２０５３０１（特許文献６）においては、シプロコナゾールを含んだ木材防腐剤が有用であると述べられているが、材木に添加する前段階では含水管理が不可欠という。前者の含水率管理はメンテナスフリーとはいかず、後者のそれも効能持続のためと加圧注入が必要となることから、原則的には建築に供する以前の段階での処理に限られる。したがって、建築中や建設後の柱などへの適用は不可能である。
【先行技術文献】
【特許文献】
【００１０】
【特許文献１】特開２００８−１１４３９４
【特許文献２】特開２０００−２２５６０７
【特許文献３】特開２０１０−１７３９６９
【特許文献４】特開平８−３５２６１号公報
【特許文献５】特開２００１−２１１８１０
【特許文献６】特開２００２−２０５３０１
【非特許文献】
【００１１】
【非特許文献１】大歳御神社拝殿内柱の白化現象  文化財保存修復学会  保存科学第２７号
【００１２】
上記した特許文献４においては、木構造用金具は銅または銅を含む被膜により覆われているから、金具と接触している部分の木質建材の木腐りが防止できるというが、その原理の紹介も技術的な説明も全く見当たらない。また、その発明が適用される条件も開示されておらず、発明の効果がどんな境遇においても発揮されるか否かが理解しようなく、漠然とした記載にとどまる。
【００１３】
ところで、木製構造部の腐朽部位は、柱の下端、土台の下面、梁木口、垂木木口、板の木口などに限定される。というのは、他の部位は、東大寺転害門、法隆寺、清水寺の舞台の例などからも分かるように創建当時から健在であり、風雨に曝されても長期間にわたって極めて高い耐久性を発揮している。しかしながら、雨水などにより湿潤化の避けられない部位は腐朽するにもかかわらず、該当部位を見定めてのピンポイント的な防腐・防黴等の処置が施されているのは目にするところでない。
【発明の概要】
【発明が解決しようとする課題】
【００１４】
本発明は上記の問題に鑑みなされたもので、その目的は、木質構造材における防腐・防黴対策とその施工が建造前の段階のみならず建造後の段階でも可能であること、塗り替えといったように爾後的な作業が付随しないこと、薬剤圧入などのごとく大掛かりな機械や設備等を必要としなく、処置するにおいても場所や時・天候に左右されずハンドリングの煩わしさも余り伴うことのないこと、局所的対処法で済ませることができ、資材の大量消費をきたさないこと、微妙な含水管理やその継続が可及的に排除され、自己再生能を発揮して実質的にメンテナンスフリーであること、極めて平易な技術構成でもって過剰かつ広範囲な処置を要しなく、化学的に安定し再使用にも差し支えなく、廃棄するにあたっても再資源化に問題がない防腐防黴手段を提供しようとする。さらにそれを利して溶出銅イオンにより局部的防腐防黴された木質構造材もしくは既築木製構造部とすべく、その木口または木口近傍部周囲に高度な技能を必要とすることのない処置を可能にすることである。
【課題を解決するための手段】
【００１５】
本発明は、純銅もしくは真鍮を含む銅合金を、木質構造材もしくは既築木製構造部の木口または木口近傍部周囲に密着するように、かつ雨水などにより湿潤状態になりやすい箇所に配置しておくことである。その純銅もしくは真鍮を含む銅合金は例えば図３（ａ）のように盤状パッド１に成形され、釘材１３により固定するなどしておく。
【発明の効果】
【００１６】
本発明によれば、未築状態にある木質構造材もしくは既築木製構造部のいずれにあっても、純銅もしくは真鍮を含む銅合金がその木口または木口近傍部周囲において雨水などにより湿潤状態に陥りやすい箇所に密着して配置されるようにするので、溶出銅イオンにより局部的な防腐防黴された状態におかれる。すなわち、防腐防黴効果の必要な箇所だけの局所施工にとどめることができ、かつその効果の持続性は高く、たとえ乾燥状態になっても、その後の湿潤化により防腐防黴作用を回復させることができる。使用部材は小さく・軽量に纏められ、運搬等を含めてハンドリングの煩わしさもほとんどない。純銅もしくは真鍮などの銅合金は全くもしくはほとんど人畜無害であり、また原則として変質しない。乾燥・湿潤が繰り返されても、乾燥時に酸化銅として構造材の表面および内部に析出し、湿潤状態になれば再びイオン化し、永続的に銅イオンの溶出機能が衰えず、防腐防黴効果の持続が図られ、建物の長期安定化に大きく寄与する。
【００１７】
その防腐防黴は局所的対処で済み、処理用資材の消費量は僅かで、その後の追加も必要でなく、作業時期に制約が課されず、施工の簡便化・迅速化は例を見ない。ましてや繊細な含水率調整管理や持続管理も必要とされず、塗料や薬剤塗布などとは異なり原則として補修の必要はなく、再施工することもないからメンテナンスフリーとなる。技術構成は平易であり、作業者の熟練も要求されるほどのものはない。純銅もしくは銅合金としては板状材でも銅片でも真鍮片・青銅片でもよいが、建築デザイン上の配慮を施すまでもない箇所や場所、例えば床下の柱下端部や束材、土台部分等では、銅製針金や銅箔を適用することもできる。針金は床下構造材に巻きつけ、銅箔はステープルで取付けるなどしておけばよい。
【００１８】
純銅もしくは銅合金を小径の薄盤状パッドとしておき、釘材により固定する場合、釘止めとすれば、既築建物においても所望箇所に打ちこむだけでよい。釘の打撃は盤状パッドの木口密着をも可能にするからさしたる事後処理も必要ない。円柱外面などの曲面部への打ち込みは盤状パッドの沿いが悪くても銅製であるゆえ、浮き防止の打撃もしくは盤状パッド周囲に曲面沿わせ治具をあてがうなどして打撃すれば、容易に変形して表皮に密着させることができる。盤と表皮との間に毛管現象を呈させるにふさわしい下地造りも容易になされる。
【図面の簡単な説明】
【００１９】
【図１】本発明に係る溶出銅イオンにより局部防腐防黴処理された木質構造材または既築木製構造部のための銅製の鋲の平面図および正面図。
【図２】柱下部に適用した場合の幾つかの例。
【図３】異なる構成の鋲の製作、およびトラス形成用接合用金物を備えた木質構造材に適用した場合の銅製鋲の取付け要領図。
【発明を実施するための形態】
【００２０】
以下に、本発明の溶出銅イオンにより局部防腐防黴処理された木質構造材または既築木製構造部を説明する。これは腐朽対象部位のみを効果的に防腐・防黴できるようにするためであって、雨水などにより程度の差があっても湿潤状態におかれれば溶出銅イオンが木材の水分中に放出されることにより、その効能を発揮できるようにしようとするものである。
【００２１】
端的に言えば、純銅もしくは真鍮を含む銅合金（典型的には真鍮）が未築木質構造材もしくは既築木製構造部の木口または木口近傍部位周囲に密着するように、かつ雨水などにより湿潤状態になりやすい箇所に配置される。その純銅もしくは銅合金は１センチメートル程度の小径薄盤状パッドとしておき、例えば釘により固定するというものである。そのバッドには円形・六角形・星形など配置箇所にふさわしい形を与えればよく、柱の下端や周囲、土台の下面や周囲、梁木口、垂木木口、板の木口などであって、浸透や毛管現象などによって湿潤化しやすい箇所に固定しておく。
【００２２】
銅の溶出イオンは、微量金属作用として知られる細菌類の活動を抑える効果が強く、防腐効果が極めて高いことは知られるところである。その防腐防黴作用は、細菌類の活動が活発化する湿潤状態で多くの銅イオンが放出されることになり、その点で極めて都合がよい。水分中では、銅イオンの拡散が速やかかつ遠くまで及ぶ。その浸透作用や拡散は、木材表面のみならず内部に向かっても同様に発現される。
【００２３】
木材が乾燥すると、銅イオンは酸化銅ＣｕＯとして表面および内部に析出する。乾燥時には、細菌類の活動が停止もしくは鈍化するので木材の腐朽は進むことがなく、酸化銅の析出は問題とならない。再度湿潤状態になると析出していた酸化銅からも銅イオンが放出される。したがって、防腐防黴作用は永続的なものとなる。なお、盤状バッドを後述するごとく銅製釘などで固定する場合は、それからも銅イオンが放出されて都合がよい。
【００２４】
このような防腐防黴処理は、柱・梁などの構造材として供しようとする木質部材のみならず、既築木製建築物や神社仏閣といった古来木造建築物や構築物にも容易に適用することができる。特に歴史的文化遺産などに施しても何ら支障はない。銅材の適用は木質・木齢・枯度合いや風化具合を問わず効能を発揮する。木材それ自体に危害を加えず、その内外に住みつく小動物のみならず、菌や黴など構造部としての持続性を脅かす生物には忌避効果を発揮する。なお、生木に寄生または共生し、被害を受けまたは互恵関係にある生物を排斥させることになるから、伐採後乾燥までの間の木材の木質維持にも有用となる。
【００２５】
ちなみに、目に触れず建築デザイン的な処理を敢えて施す必要のない部位、例えば床下の柱下端部、束や土台などでは、鋲タイプに代えて銅製の針金を巻くことや銅箔をステープルなどで取付けることなどによっても同効果を奏する。木材の腐朽箇所は、一般的に柱の下端、土台の下面、梁木口、垂木木口、板の木口などに限られるから、その箇所をターゲットにしたピンポイント的処置を施せばよいということである。他の部位は、長期間にわたり極めて高い耐久性を有しているから、装飾として使用する場合はともかく通常は銅イオン溶出を必要としない部位にまで処置する必要がない。
【００２６】
以下に、具体的な形態を表した図面などをもとに説明を加える。鋲としておく場合は、図１（ａ），（ｂ）に示すように、プレス加工した円形の銅製頭１（盤状パッド）に例えばステンレス鋼ＳＵＳ３０４製の脚２をフラッシュバット溶接（対向部位を通電溶融した状態で圧着接合）して製作する。効率よく銅イオンを溶出させるために鋲３の表面積は大きくしておく。なお、鋲頭１は上記した盤状パッドに切り出したものを用いればよい。鋲の軸部２には、異種金属接触による腐食が起こらないことや強度が高く木材４への打込みが容易となるＳＵＳ３０４が推奨される。これは本来的に曲がり難い素材であるからでもある。平面状の木口などに打込むときは、頭下が木材４に十分接触するように打込む。頭下の空隙を可及的になくしておくと毛管現象により水分が容易に供給されまた浸透し、湿潤状態を少しでも長く保つことができる。
【００２７】
円形断面の木材５に打込むときは、頭下が木材に接触するまで打込んだ後、図１（ｃ）に示す周辺押さえ治具６などを使って頭部が木材との間で隙間を残さないように叩いて変形させる。銅は変形させやすいので容易に略全面接触させることができる。パッド径を大きくすれば、毛管現象を利用することにより水分に接触する面積を一層に広くすることができる。また、頭下に一旦水分が入ると周囲の木材表面が乾燥しても湿潤状態を長く保つため、銅イオンを継続的に溶出させやすくなる。ひいては、木材内部の湿潤部のみへのイオン浸透が維持され、防腐・防黴効果を広く発揮させることができる。
【００２８】
柱の下端部の外面装飾を兼ねた配置もできる。その場合、厚みを変えたり、六角形や星形など平面形を変えるなどして製作すればよい。円形以外の形状は、レーザー加工で効率よく製作することができる。また必要に応じて表皮順応措置を施すが、いずれにしても図２（ａ）のごとく適宜な本数の鋲３が使用される。柱を礎石７に載せる場合などでは同図（ｂ）のように柱下端面で上向き打ち込みしておくなどすればよい。同図（ｃ）は（ａ）と（ｂ）を併用した例であり、同図（ｄ）は鋲頭の平面形を変えた例である。なお、各図において下の矩形は柱８を下面から見上げた状態を示している。
【００２９】
銅製鋲の別案として以下のものを挙げることができる。これは、風雨に曝される環境でフラッシュバット溶接の長期にわたる耐久性が不確かなことを考慮したもので、銅製頭を機械的に接合する方法により信頼性を高めている。図３（ａ）は、頭１に開けた穴９に螺旋形断面部１０と若干小さい径の円形断面部１１を軸方向に連続させた軸脚１２を持つ釘１３を挿入する形態である。釘の挿入は、下穴９に上記のごとく成形した釘１３を圧入すれば鋲１４として一体化したものを得ることができる。また、螺旋加工していない円形断面の釘に頭をセットした後、冷間転造によって螺旋部を成形するようにしてもよい。この場合、転造により軸径が少し大きくなり、頭は自動的には外れにくいものとなる。なお、図は４条の螺旋を形成した例である。
【００３０】
螺旋形断面にしておくと釘の引抜き耐力が飛躍的に大きくなるから、頭の盤状パッドが座金の作用を発揮して釘頭が木材にめり込むのを防ぐことができ、釘の引抜き耐力に見合っためり込み耐力に調節することもできる。頭の厚さ、すなわち盤状パッドの厚みは適宜に変更し得ることは言うまでもない。
【００３１】
以下に、具体例をまとめて列記する。
（１）薄い盤状パッドを準備し、その略中心部を貫通するステンレス鋼製釘により所望箇所に打ちつけ固定する。
（２）薄い盤状パッドにはその略中心部に孔を形成しておき、胴部がねじ状加工されたスクリュー釘により打ちつけ固定することもできる。
（３）薄い盤状パッドにはその略中心部に孔を形成しておき、純銅製木ねじまたは銅メッキされた木ねじによりねじ止めしてもよい。
（４）薄い盤状パッドには裏面の略中心部からから下方へ延びるステンレス鋼（異種金属接触腐蝕の発生しない）製螺旋溝つきピンを溶接して鋲体としておく。
【００３２】
本発明に係る幾つかの形態によれば、木造住宅、公共用施設等の大型木造構築物、木造トラス構造物、神社仏閣等の古来木造建築物や歴史的建造物などの局部である柱の下端、土台の下面、梁木口、垂木木口、板の木口に銅イオン溶出処理を施すことができる。ちなみに、木造トラス構造物にあって、特開２００５−０９７８３８に開示されたごとくの木質構造材１５には、図３（ｂ）に示すような箇所に鋲１４を施工しておくとよい。トラス形成用接合用金物１６に隣接して配置されても鋲１４が接触さえしていなければイオンの発生や溶出に差し障りの出ることはない。
【００３３】
本発明の具体的な例から分かるように、木質構造材における防腐・防黴対策とその施工が建造に供する以前の段階のみならず建造後の段階でも適用可能である。塗料を使用した場合のように塗り替えなどの爾後的な作業が付随しなく、薬剤圧入などのように大掛かりな機械や設備等は必要でない。処置においても場所や時期・気候や天候に影響を受けず、またハンドリングの煩わしさもない。局所的対処で済ませることができ、資材の大量消費をきたさない。微妙な含水管理やその継続が可及的に排除され、自己再生能を発揮して実質的にメンテナンスフリーとなる。極めて平易な技能で処理でき、過剰かつ広範囲な処置を要しなく、化学的に安定し再使用にも差し支えなく、廃棄するにあたっても再資源化に特に支障をきたすこともない。
【００３４】
以上の説明から分かるように、木質構造材が未構築状態もしくは既構築状態のいずれにおいても、純銅もしくは真鍮を含む銅合金材がその木口または木口近傍部位周囲にあって雨水などにより湿潤状態に陥りやすい箇所に密着して配置されていれば、木質構造材が溶出銅イオンにより局部的な防腐防黴がなされた状態においておくことができる。すなわち、防腐防黴効果の必要な箇所だけの施工にとどまり、その効果の持続性が高く、たとえ乾燥状態になっても、その後の湿潤化により防腐防黴作用を回復させることができる。使用部材は大きいものである必要はなく、運搬等を含めてハンドリングの煩わしさもない。純銅もしくは銅合金は全くもしくはほとんど人畜無害であり、また原則として変質しない。乾燥・湿潤が繰り返されても、乾燥時に酸化銅として構造材の表面および内部に析出し、湿潤状態になれば再びイオンを溶出し、永久に銅イオンの溶出作用が衰えず、防腐防黴効果の持続化がなされ、建物の長期安定化に大きく寄与する。
【００３５】
その防腐防黴は局所的対処で済み、処理用資材の消費量は僅かで、その後の追加も必要とされず、作業時期に制約も課されず、施工の簡便化・迅速化は比類を見ない。ましてや繊細な含水率調整管理や持続管理も要さず、塗料や薬剤塗布などとは異なり、原則として補修の必要もなく、再施工することもないからメンテナンスフリーとなる。技術構成は平易であり、作業者の熟練も要求されるほどのものでない。純銅もしくは銅合金としては板状材・盤状材でもよいが、建築デザイン上の配慮をするまでもない箇所や場所、例えば床下の柱下端部や束材、土台部分等では、銅製針金や銅箔を使用することもできる。針金は床下構造材に巻きつけ、銅箔はステープルで取付けるなどすればよい。ちなみに、銅合金としては真鍮（黄銅）・青銅でもよいが、本発明者の研究によれば、青銅よりは真鍮が純銅並みであることを確認した。他に、白銅、洋白などもあるが、いずれも亜鉛や鉛、錫、アルミ、ニッケルなどを単独もしくは複数組み合わせられたものである。これらは導電性・熱伝導性のよいことも知られているが、銀に次ぐ化学的に活性の高いものであることは言うまでもない。
【００３６】
純銅もしくは銅合金を小径の薄盤状パッドとし、釘材により固定するようにしておく。釘止めとはするが、既築建物においても所望箇所に所望深さだけ打ち込むだけでよい。釘の打撃は盤状パッドの木口密着をも可能にするからさしたる事後処理も必要ない。円柱外面などの曲面部への打ち込みは盤状パッドの沿いが悪くても銅製であるゆえ、浮き防止の打撃もしくは盤状パッド周囲に曲面沿わせ治具をあてがうなりして打撃すれば銅であるゆえ容易に変形して表皮に密着させることができる。盤と表皮との間に毛管現象を呈させるにふさわしい下準備を整えることができる。なお、盤状パッドとして平面形を円形・六角形・星形などとしておけば、柱脚部の装飾をなすことにもなる。
【符号の説明】
【００３７】
１…頭（鋲頭、盤状パッド）、２…脚（軸部）、３…鋲、４，５…木材、１３…釘、１４…鋲。
【図１】
2017214814.tif 000003
【図２】
2017214814.tif 000004
【図３】
2017214814.tif 000005